(57)【要約】【課題】外気温度や日射量などの外部環境による内気温度の変動を抑え、胡蝶蘭などの植物の開花時期をコントロールし、調整できるようにする。【解決手段】暖房設定温度ｔＨｓｐと外気温度ｔｏｕｔとの差Δｔｏｕｔを求め、暖房上乗せ係数ＫＨ１を乗じて上乗せ量Ｈαを求める。この上乗せ量Ｈαを暖房設定温度ｔＨｓｐに加算して補正暖房設定温度ｔＨｓｐ’を求める。同様にして、冷房設定温度ｔＣｓｐと外気温度ｔｏｕｔとの差Δｔｏｕｔを求め、冷房上乗せ係数ＫＣ１を乗じて上乗せ量Ｃαを求める。この上乗せ量Ｃαを冷房設定温度ｔＣｓｐに加算して補正冷房設定温度ｔＣｓｐ’を求める。【選択図】        図３
2004201630.tif 000002
【特許請求の範囲】
【請求項１】
暖房設定温度および冷房設定温度を定め、温室内の内気温度が前記暖房設定温度を下回った場合に暖房を行い、温室内の内気温度が前記冷房設定温度を上回った場合に冷房を行う温室内の環境制御方法において、
前記暖房設定温度および前記冷房設定温度を外部環境に応じて補正するようにしたことを特徴とする温室内の環境制御方法。
【請求項２】
温室の屋根とこの屋根の下に展張されるカーテンとの間の温度をカーテン外温度とし、このカーテン外温度と予め定められた目標温度との差に応じて前記温室の屋根に設けられた天窓の開き量を制御する温室内の環境制御方法において、
前記天窓を開く際の制御量を外部環境に応じて補正するようにしたことを特徴とする温室内の環境制御方法。
【請求項３】
請求項１又は２に記載された温室内の環境制御方法において、前記外部環境を外気温度としたことを特徴とする温室内の環境制御方法。
【請求項４】
請求項１又は２に記載された温室内の環境制御方法において、前記外部環境を日射量としたことを特徴とする温室内の環境制御方法。
【請求項５】
温室内の内気温度を計測する内気温度計測手段と、前記内気温度の計測値が予め定められた暖房設定温度を下回った場合に暖房を行う暖房制御手段と、前記内気温度の計測値が予め定められた冷房設定温度を上回った場合に冷房を行う冷房制御手段とを備えた温室内の環境制御装置において、
前記暖房設定温度および前記冷房設定温度を外部環境に応じて補正する設定温度補正手段を備えたことを特徴とする温室内の環境制御装置。
【請求項６】
温室の屋根とこの屋根の下に展張されるカーテンとの間の温度をカーテン外温度として計測するカーテン外温度計測手段と、前記カーテン外温度の計測値と予め定められた目標温度との差に応じて前記温室の屋根に設けられた天窓の開き量を制御する天窓制御手段とを備えた温室内の環境制御装置において、
前記天窓を開く際の制御量を外部環境に応じて補正する天窓制御量補正手段を備えたことを特徴とする温室内の環境制御装置。
【請求項７】
請求項５又は６に記載された温室内の環境制御装置において、前記外部環境を外気温度としたことを特徴とする温室内の環境制御装置。
【請求項８】
請求項５又は６に記載された温室内の環境制御装置において、前記外部環境を日射量としたことを特徴とする温室内の環境制御装置。
【請求項９】
暖房設定温度および冷房設定温度を定め、温室内の内気温度が前記暖房設定温度を下回った場合に暖房を行い、温室内の内気温度が前記冷房設定温度を上回った場合に冷房を行う温室内の環境制御方法において、
前記暖房設定温度と外気温度との差を外気温度差として求め、この外気温度に予め定められた暖房用の上乗せ係数を乗じて上乗せ量を求め、この上乗せ量を前記暖房設定温度に加算して補正暖房設定温度を求めるステップと、
前記冷房設定温度と外気温度との差を外気温度差として求め、この外気温度に予め定められた冷房用の上乗せ係数を乗じて上乗せ量を求め、この上乗せ量を前記冷房設定温度に加算して補正冷房設定温度を求めるステップと
を備えたことを特徴とする温室内の環境制御方法。
【請求項１０】
温室の屋根とこの屋根の下に展張されるカーテンとの間の温度をカーテン外温度とし、このカーテン外温度と予め定められた目標温度との差に応じて前記温室の屋根に設けられた天窓の開き量を制御する温室内の環境制御方法において、
前記目標温度と外気温度との差を求め、この差に応じて前記天窓を開く際の比例感度を補正するようにしたことを特徴とする温室内の環境制御方法。
【発明の詳細な説明】
【０００１】
【発明の属する技術分野】
この発明は、胡蝶蘭などの植物を栽培するために用いて好適な温室内の環境制御方法および装置に関するものである。
【０００２】
【従来の技術】
胡蝶蘭などの鑑賞植物の栽培には、販売価格の高い時期に出荷することを目的として、冷暖房装置を備えた温室が用いられている。図１１は胡蝶蘭の栽培に用いられている温室の一例を示す概略構成図である。
【０００３】
図１１において、１は温室であり、全体が透明のビニルなどにより覆われている。温室１の屋根１Ａには天窓２が設けられており、この天窓２に対して上下方向に開閉自在にルーフ３が設けられている。４はルーフ３を開閉するためのモータである。温室１内の屋根１Ａの下にはカーテン５（５−１，５−２）が設置されている。６−１，６−２はカーテン５−１，５−２を展張／撤収するためのモータである。図はカーテン５を展張した状態を示している。なお、カーテン５は、銀色（シルバー）とされている。
【０００４】
温室１内の上方部には換気扇９が設けられている。温室１内の中央部には温度センサ１０および湿度センサ１１が設けられている。温度センサ１０が計測する温度は内気温度ｔｉｎとして制御装置８へ与えられる。湿度センサ１１が計測する湿度は内気湿度ＲＨｉｎとして制御装置８へ与えられる。以下、温度センサ１０を内気温度センサ、湿度センサ１１を内気湿度センサと呼ぶ。
【０００５】
また、温室１内には冷房／暖房装置１２が設けられており、制御装置８からの指示に従って温室１内の冷房あるいは暖房を行う。制御装置８には、パーソナルコンピュータ（以下、パソコンと言う）１３から、暖房設定温度ｔＨｓｐや冷房設定温度ｔＣｓｐ、天窓目標温度ｔＲｓｐなどが与えられる。
【０００６】
〔暖房制御：冬期〕
制御装置８は、内気温度センサ１０からの内気温度ｔｉｎと暖房設定温度ｔＨｓｐとを比較し、内気温度ｔｉｎが暖房設定温度ｔＨｓｐを下回ると、冷房／暖房装置１２へ暖房の指示を出し、温室１内の暖房を行う。この暖房によって、温室１内の温度が上昇し、内気温度ｔｉｎがｔｉｎ≧ｔＨｓｐ＋ｔαとなると（ｔα：ヒステリシス）、制御装置８は暖房を停止する。これによって、温室１内の内気温度ｔｉｎは、ほゞ暖房設定温度ｔＨｓｐに維持される。なお、制御装置８は、必要に応じてカーテン５を展張し、温室１内の保温を図る。
【０００７】
〔冷房制御：夏期〕
制御装置８は、内気温度センサ１０からの内気温度ｔｉｎと冷房設定温度ｔＣｓｐとを比較し、内気温度ｔｉｎが冷房設定温度ｔＣｓｐを上回ると、冷房／暖房装置１２へ冷房の指示を出し、温室１内の冷房を行う。この冷房によって、温室１内の温度が下降し、内気温度ｔｉｎがｔｉｎ≦ｔＣｓｐ−ｔβとなると（ｔβ：ヒステリシス）、制御装置８は冷房を停止する。これによって、温室１内の内気温度ｔｉｎは、ほゞ冷房設定温度ｔＣｓｐに維持される。なお、制御装置８は、必要に応じてカーテン５を展張し、温室１内の保冷を図る。
【０００８】
〔中間期〕
冬期から夏期にかけて、また夏期から冬期にかけての中間期には、昼間は冷房が行われ、夜間は暖房が行われるという場合も起こり得る。すなわち、昼間は、内気温度ｔｉｎが冷房設定温度ｔＣｓｐを上回って冷房が行われ、夜間は、内気温度ｔｉｎが暖房設定温度ｔＨｓｐを下回って暖房が行われるということがあり得る。この場合、昼間は内気温度ｔｉｎがほゞ冷房設定温度ｔＣｓｐに維持され、夜間は内気温度ｔｉｎがほゞ暖房設定温度ｔＨｓｐに維持される。
【０００９】
〔天窓制御〕
夏期において、カーテン５を展張すると、屋根１Ａとカーテン５との間に熱気がこもる。これにより、屋根１Ａとカーテン５との間の空間温度が外気温度よりも高くなり、保冷効果が低下する。制御装置８は、このような状況に陥らないように、内気温度ｔｉｎが冷房設定温度ｔＣｓｐよりも高い場合、ｔｉｎとｔＣｓｐとの差に応じて天窓２に対するルーフ３の開き量（以下、天窓２の開き量と言う）を制御する。すなわち、カーテン外温度ｔＲが高くなれば、カーテン外温度ｔＲとの差に応じた量だけ天窓２を開き、屋根１Ａとカーテン５との間の熱気を外部に排出する。
【００１０】
なお、上述した従来技術は、本出願人が現在採用している技術であって、出願人が出願時点で知る限りにおいて文献公知ではない。また、出願人は出願時点までに本発明に関連する先行技術文献を発見することができなかった。よって、先行技術文献情報を開示していない。
【００１１】
【発明が解決しようとする課題】
上述した従来技術によれば、温室１内の内気温度ｔｉｎは、冬期においてはほゞ暖房設定温度ｔＨｓｐに維持され、夏期においてはほゞ冷房設定温度ｔＣｓｐに維持され、年間を通してみた場合、その平均温度は暖房設定温度ｔＨｓｐと冷房設定温度ｔＣｓｐとのほゞ中央値に維持されることになる。
【００１２】
ここで、例えば、冷房設定温度ｔＣｓｐを３０℃、暖房設定温度ｔＨｓｐを２５℃とし、苗状態から胡蝶蘭を温室１内で育てると、１２〜１５ヶ月で花芽をつける状態となる。その後、冷房設定温度ｔＣｓｐを２５℃、暖房設定温度ｔＨｓｐを１８℃として育てると、４〜５ヶ月で出荷可能状態となる。このように、冷房／暖房装置２を備えた温室１内で胡蝶蘭を育てると、開花時期を調整することができ、販売価格の高い時期に出荷することが可能となる。
【００１３】
しかしながら、温室１内の内気温度ｔｉｎは、外気温度や日射量などにより変動し、設定温度を維持できないことが多い。なお、この場合の「設定温度」とは、暖房制御に際する暖房設定温度ｔＨｓｐ、冷房制御に際する冷房設定温度ｔＣｓｐを指す。また、暖房設定温度ｔＨｓｐや冷房設定温度ｔＣｓｐに対して定められる所定の温度範囲内に内気温度ｔｉｎがある場合を、「内気温度ｔｉｎが設定温度を維持している」状態とする。
【００１４】
例えば、冬期において、外気温度が低いと、暖房をオンとした場合の内気温度ｔｉｎの温度上昇が遅くなり、暖房をオフとした場合の内気温度ｔｉｎの温度下降が速くなる。外気温度が高いときは、その逆で、暖房をオンとした場合の内気温度ｔｉｎの温度上昇が速くなり、暖房をオフとした場合の内気温度ｔｉｎの温度下降が遅くなる（暖房をオフとしたとき、余熱で、内気温度ｔｉｎがさらに上昇することもある）。このため、外気温度が低いときには内気温度ｔｉｎが低目に推移し、外気温度が高いときには内気温度ｔｉｎが高目に推移し、暖房設定温度ｔＨｓｐを維持できないことがある。
【００１５】
同様に、例えば、夏期において、外気温度が高いと、冷房をオンとした場合の内気温度ｔｉｎの温度下降が遅くなり、冷房をオフとした場合の内気温度ｔｉｎの温度上昇が速くなる。外気温度が低いときは、その逆で、冷房をオンとした場合の内気温度ｔｉｎの温度下降が速くなり、冷房をオフとした場合の内気温度ｔｉｎの温度上昇が遅くなる（冷房をオフとしたとき、余熱で、内気温度ｔｉｎがさらに下降することもある）。このため、外気温度が低いときには内気温度ｔｉｎが低目に推移し、外気温度が高いときには内気温度ｔｉｎが高目に推移し、冷房設定温度ｔＣｓｐを維持できないことがある。
【００１６】
日射量についても外気温度と同様なことが言え、冬期において、日射量が少ないときには内気温度ｔｉｎが低目に推移し、日射量が多いときには内気温度ｔｉｎが高目に推移し、暖房設定温度ｔＨｓｐを維持できないことがある。また、夏期において、日射量が少ないときには内気温度ｔｉｎが低目に推移し、日射量が多いときには内気温度ｔｉｎが高目に推移し、冷房設定温度ｔＣｓｐを維持できないことがある。
【００１７】
また、屋根１Ａとカーテン５との間からの熱気の排出量は、屋根１Ａとカーテン５との間の空気温度と外気温度との差、すなわち内外気温差によって異なる。内外気温差が小さいと、単位面積当たりの熱気の排出量は少なく、内外気温差が大きいと、単位面積当たりの熱気の排出量は多い。従来技術では、冷房使用時期において、内気温度ｔｉｎと冷房設定温度ｔＣｓｐとの差に応じて天窓２の開き量を制御しているが、外気温度や日射量に拘わらず天窓２の開き量を制御する際の比例感度を一律としているため、殊に天窓２を開く際の開時比例感度を一律としているため、外気温度が高い場合や日射量が多い場合の熱気の排出量が少なく、これも内気温度ｔｉｎが冷房設定温度ｔＣｓｐを維持できない要因の一つとなっていた。
【００１８】
このように、従来技術では、外気温度や日射量などの外部環境により温室１内の内気温度ｔｉｎが変動し、設定温度を維持できないことが多く、このため、胡蝶蘭の開花時期の調整が難しくなり、販売価格の高い時期に出荷できないという問題が生じる虞れがあった。
【００１９】
本発明はこのような課題を解決するためになされたもので、その目的とするところは、外気温度や日射量などの外部環境による内気温度の変動を抑え、胡蝶蘭などの植物の開花時期を調整することの可能な温室内の環境制御方法および装置を提供することにある。
【００２０】
【課題を解決するための手段】
このような目的を達成するために本発明は、暖房設定温度および冷房設定温度を定め、温室内の内気温度が暖房設定温度を下回った場合に暖房を行い、温室内の内気温度が冷房設定温度を上回った場合に冷房を行う温室内の環境制御方法において、暖房設定温度および冷房設定温度を外部環境に応じて補正するようにしたものである。
この発明によれば、外部温度や日射量などの外部環境に応じて暖房設定温度が補正され、この補正された暖房設定温度に従って温室内の暖房制御が行われる。また、外部温度や日射量などの外部環境に応じて冷房設定温度が補正され、この補正された冷房設定温度に従って温室内の冷房制御が行われる。
【００２１】
例えば、暖房設定温度と外気温度との差を外気温度差として求め、この外気温度差に予め定められた冷房用の上乗せ係数を乗じて上乗せ量を求め、この上乗せ量を冷房設定温度に加算して補正冷房設定温度を求める。このようにすると、冬期において、外気温度が低くなった場合には、暖房設定温度が高目とされ、低目に推移しようとする内気温度の変化が抑えられる。逆に、冬期において、外気温度が高くなった場合には、暖房設定温度が低目とされ、高目に推移しようとする内気温度の変化が抑えられる。
また、例えば、冷房設定温度と外気温度との差を求め、外気温度差として求め、この外気温度に予め定められた冷房用の上乗せ係数を乗じて上乗せ量を求め、この上乗せ量を冷房設定温度に加算して補正冷房設定温度を求める。このようにすると、夏期において、外気温度が高くなった場合には、冷房設定温度が低目とされ、高目に推移しようとする内気温度の変化が抑えられる。逆に、夏期において、外気温度が低くなった場合には、冷房設定温度が高目とされ、低目に推移しようとする内気温度の変化が抑えられる。
【００２２】
また、本発明は、温室の屋根とこの屋根の下に展張されるカーテンとの間の温度をカーテン外温度とし、このカーテン外温度と予め定められた目標温度との差に応じて温室の屋根に設けられた天窓の開き量を制御する温室内の環境制御方法において、天窓を開く際の制御量を外部環境に応じて補正するようにしたものである。
この発明によれば、カーテン外温度と予め定められた目標温度との差に応じて天窓が開かれるが、この天窓を開く際の制御量が外部温度や日射量などの外部環境によって補正される。例えば、目標温度と外気温度との差を求め、この差に応じて天窓を開く際の比例感度（開時比例感度）を補正する。さらに言えば、夏期において、外気温度が高くなった場合（目標温度と外気温度との差が大きくなった場合）、開時比例感度を大きくする。これにより、夏期において、目標温度と外気温度との差が大きくなると、天窓の開き量が大きくなり、外部への熱気の排出量が増大する。
【００２３】
【発明の実施の形態】
以下、本発明を図面に基づいて詳細に説明する。図１は本発明に係る温室内の環境制御方法の実施に用いる環境制御装置の一例を示す概略構成図である。同図において、図１１と同一符号は図１１を参照して説明した構成要素と同一或いは同等構成要素を示し、その説明は省略する。
【００２４】
この実施の形態では、温室１の外に、外気温度を計測する外気温度センサ１４と、外気湿度を計測する外気湿度センサ１５と、日射量を計測する日射センサ１６と、風向を計測する風向センサ１７と、風速を計測する風速センサ１８と、降雨を感知する感雨センサ１９を設け、これらセンサの計測値を制御装置８へ与えるようにしている。
【００２５】
また、温室１内の屋根１Ａの下に、第１のカーテン２０（２０−１，２０−２）と、第２のカーテン２１（２１−１，２１−２）と、第３のカーテン２２（２２−１，２２−２）を設置している。また、屋根１Ａの上に、第４のカーテン２３（２３−１，２３−２）を設置している。２４−１，２４−２は第１のカーテン２０−１，２０−２を展張／撤収するためのモータである。２５−１，２５−２は第２のカーテン２１−１，２１−２を展張／撤収するためのモータである。２６−１，２６−２は第３のカーテン２２−１，２２−２を展張／撤収するためのモータである。２７−１，２７−２は第４のカーテン２３−１，２３−２を展張／撤収するためのモータである。
【００２６】
第１のカーテン２０は、第２のカーテン２１の下に設けられ、保温／保冷用として用いられる。第２のカーテン２１は、第３のカーテン２２の下に設けられ、第１のカーテン２０と同様に保温／保冷用として用いられる。第３のカーテン２２は、屋根１Ａの下に設けられ、遮光用として用いられる。第４のカーテン２３は、屋根１Ａの上に設けられ、第３のカーテン２２と同様に遮光用として用いられる。図１において、第１のカーテン２０〜第４のカーテン２４は、全て展張した状態を示している。
【００２７】
なお、第１のカーテン２０は透明、第２のカーテン２１は銀色（シルバー）、第３のカーテン２２および第４のカーテン２３は黒色とされている。カーテン外温度センサ７は、屋根１Ａと屋根１Ａの下に展張される第３のカーテン２２−１との間に設けられている。また、屋根１Ａと屋根１Ａの下に展張されるカーテン２２−１との間には温度センサ７が設けられている。温度センサ７が計測する温度はカーテン外温度ｔＲとして制御装置８へ与えられる。以下、温度センサ７をカーテン外温度センサと呼ぶ。
【００２８】
図２は制御装置８の概略構成を示すブロック図である。同図において、８−１はＣＰＵ、８−２はＲＡＭ、８−３はＲＯＭ、８−４，８−５はインターフェイスである。ＣＰＵ８−１は、インターフェイス８−４を介して与えられる各種入力情報を得て、ＲＡＭ８−２にアクセスしながら、ＲＯＭ８−３に格納されたプログラムに従って動作する。
【００２９】
ＲＯＭ８−３には、温度制御を行うためのプログラム（温度制御プログラム）が格納されている。この温度制御プログラムは、工場出荷段階でＲＯＭ８−３に記憶させた形で提供してもよいし、パソコン１３からダウンロードさせる形で提供してもよい。また、ＣＤ−ＲＯＭなどの記録媒体に記録された状態で提供し、この記録媒体から読み出してＲＯＭ８−３にインストールするようにしてもよい。以下、温度制御プログラムに従うＣＰＵ８−１の処理動作について説明する。
【００３０】
〔暖房制御：冬期〕
ＣＰＵ８−１は、内気温度センサ１０からの内気温度ｔｉｎと暖房設定温度ｔＨｓｐとを比較し、内気温度ｔｉｎが暖房設定温度ｔＨｓｐを下回ると、冷房／暖房装置１２へ暖房の指示を出し、温室１内の暖房を行う。この暖房によって、温室１内の温度が上昇し、内気温度ｔｉｎがｔｉｎ≧ｔＨｓｐ＋ｔαとなると、ＣＰＵ８−１は暖房を停止する。これによって、温室１内の内気温度ｔｉｎは、ほゞ暖房設定温度ｔＨｓｐに維持される。
【００３１】
〔暖房設定温度の外気温度補正〕
冬期において、外気温度が低いと、暖房をオンとした場合の内気温度ｔｉｎの温度上昇が遅くなり、暖房をオフとした場合の内気温度ｔｉｎの温度下降が速くなる。外気温度が高いときは、その逆で、暖房をオンとした場合の内気温度ｔｉｎの温度上昇が速くなり、暖房をオフとした場合の内気温度ｔｉｎの温度下降が遅くなる（暖房をオフとしたとき、余熱で、内気温度ｔｉｎがさらに上昇することもある）。このため、外気温度が低いときには内気温度ｔｉｎが低目に推移し、外気温度が高いときには内気温度ｔｉｎが高目に推移し、暖房設定温度ｔＨｓｐを維持できないことがある。
【００３２】
このような状態が生じないように、本実施の形態においては、次のようにして外気温度による内気温度ｔｉｎの変動を抑え、暖房設定温度ｔＨｓｐを維持できるようにしている。すなわち、暖房設定温度ｔＨｓｐに対して定められる所定の温度範囲内に入るように、内気温度ｔｉｎの外気温度補正を行うようにしている。図３はＣＰＵ８−１が定期的（この例では、１５分毎）に行う暖房設定温度ｔＨｓｐの外気温度補正処理を示すフローチャートである。
【００３３】
ＣＰＵ８−１は、所定周期で取り込まれる外気温度センサ１５からの外気温度ｔｏｕｔに基づき、１５分平均外気温度ｔｏｕｔ15を求める（ステップ３０１）。そして、この求めた１５分平均外気温度ｔｏｕｔ15を暖房設定温度ｔＨｓｐから差し引き（ステップ３０２）、暖房設定温度ｔＨｓｐとの外気温度差Δｔｏｕｔを求める。冬期において、外気温度ｔｏｕｔは暖房設定温度ｔＨｓｐよりも低く、したがってΔｔｏｕｔは正の値として求められる。
【００３４】
そして、ＣＰＵ８−１は、この求めた外気温度差Δｔｏｕｔに予め定められている暖房用の上乗せ係数ＫＨ１を乗じ、上乗せ量Ｈα（℃）を求める（ステップ３０３）。そして、この求めた上乗せ量Ｈαを暖房設定温度ｔＨｓｐに加算し、補正暖房設定温度ｔＨｓｐ’を求める。以降、次の１５分が経過するまで、暖房設定温度ｔＨｓｐの代わりに補正暖房設定温度ｔＨｓｐ’を用いる。なお、ステップ３０３において用いる暖房用の上乗せ係数ＫＨ１は、外気温度差Δｔｏｕｔの１℃当たりの上乗せ温度で、０〜０．１の値が設定可能である。
【００３５】
このような外気温度補正を行うことによって、冬期において、外気温度ｔｏｕｔが低くなった場合には、すなわち外気温度差Δｔｏｕｔの絶対値が大きくなった場合には、暖房設定温度ｔＨｓｐが高目とされ、低目に推移しようとする内気温度ｔｉｎの変化が抑えられる。逆に、冬期において、外気温度ｔｏｕｔが高くなった場合には、すなわち外気温度差Δｔｏｕｔの絶対値が小さくなった場合には、暖房設定温度ｔＨｓｐが低目とされ、高目に推移しようとする内気温度ｔｉｎの変化が抑えられる。これにより、外気温度ｔｏｕｔが変動しても、内気温度ｔｉｎを所期の暖房設定温度ｔＨｓｐに維持させることができるようになる。
【００３６】
〔冷房設定温度の外気温度補正〕
夏期において、外気温度が高いと、冷房をオンとした場合の内気温度ｔｉｎの温度下降が遅くなり、冷房をオフとした場合の内気温度ｔｉｎの温度上昇が速くなる。外気温度が低いときは、その逆で、冷房をオンとした場合の内気温度ｔｉｎの温度下降が速くなり、冷房をオフとした場合の内気温度ｔｉｎの温度上昇が遅くなる（冷房をオフとしたとき、余熱で、内気温度ｔｉｎがさらに下降することもある）。このため、外気温度が低いときには内気温度ｔｉｎが低目に推移し、外気温度が高いときには内気温度ｔｉｎが高目に推移し、冷房設定温度ｔＣｓｐを維持できないことがある。
【００３７】
このような状態が生じないように、本実施の形態においては、次のようにして外気温度による内気温度ｔｉｎの変動を抑え、冷房設定温度ｔＣｓｐを維持できるようにしている。すなわち、冷房設定温度ｔＣｓｐに対して定められる所定の温度範囲内に入るように、内気温度ｔｉｎの外気温度補正を行うようにしている。図４はＣＰＵ８−１が定期的（この例では、１５分毎）に行う冷房設定温度ｔＣｓｐの外気温度補正処理を示すフローチャートである。
【００３８】
ＣＰＵ８−１は、所定周期で取り込まれる外気温度センサ１５からの外気温度ｔｏｕｔに基づき、１５分平均外気温度ｔｏｕｔ15を求める（ステップ４０１）。そして、この求めた１５分平均外気温度ｔｏｕｔ15を冷房設定温度ｔＣｓｐから差し引き（ステップ４０２）、冷房設定温度ｔＣｓｐとの外気温度差Δｔｏｕｔを求める。夏期において、外気温度ｔｏｕｔは冷房設定温度ｔＣｓｐよりも高く、したがってΔｔｏｕｔは負の値として求められる。
【００３９】
そして、ＣＰＵ８−１は、この求めた外気温度差Δｔｏｕｔに予め定められている冷房用の上乗せ係数ＫＣ１を乗じ、上乗せ量Ｃα（℃）を求める（ステップ４０３）。そして、この求めた上乗せ量Ｃαを冷房設定温度ｔＣｓｐに加算し、補正冷房設定温度ｔＣｓｐ’を求める。以降、次の１５分が経過するまで、冷房設定温度ｔＣｓｐの代わりに補正冷房設定温度ｔＣｓｐ’を用いる。なお、ステップ４０３において用いる冷房用の上乗せ係数ＫＣ１は、外気温度差Δｔｏｕｔの１℃当たりの上乗せ温度で、０〜０．１の値が設定可能である。
【００４０】
このような外気温度補正を行うことによって、夏期において、外気温度ｔｏｕｔが高くなった場合には、すなわち外気温度差Δｔｏｕｔの絶対値が大きくなった場合には、冷房設定温度ｔＣｓｐが低目とされ、高目に推移しようとする内気温度ｔｉｎの変化が抑えられる。逆に、夏期において、外気温度ｔｏｕｔが低くなった場合には、すなわち外気温度差Δｔｏｕｔの絶対値が小さくなった場合には、冷房設定温度ｔＣｓｐが高目とされ、低目に推移しようとする内気温度ｔｉｎの変化が抑えられる。これにより、外気温度ｔｏｕｔが変動しても、内気温度ｔｉｎを所期の冷房設定温度ｔＣｓｐに維持させることができるようになる。
【００４１】
〔暖房設定温度、冷房設定温度の日射量補正〕
日射量についても外気温度と同様なことが言え、冬期において、日射量が少ないときには内気温度ｔｉｎが低目に推移し、日射量が多いときには内気温度ｔｉｎが高目に推移し、暖房設定温度ｔＨｓｐを維持できないことがある。また、夏期において、日射量が少ないときには内気温度ｔｉｎが低目に推移し、日射量が多いときには内気温度ｔｉｎが高目に推移し、冷房設定温度ｔＣｓｐを維持できないことがある。暖房設定温度ｔＨｓｐや冷房設定温度ｔＣｓｐを日射量で補正することによっても内気温度ｔｉｎの変動を抑えることができる。
【００４２】
なお、暖房設定温度ｔＨｓｐや冷房設定温度ｔＣｓｐを日射量で補正する場合、例えば、基準となる日射量を定め、この基準日射量と１５分平均日射量との差を日射量差として求め、この日射量差に上乗せ係数を乗じ、暖房設定温度ｔＨｓｐや冷房設定温度設定温度ｔＣｓｐに対する上乗せ量を求める。
【００４３】
〔中間期における暖房設定温度および冷房設定温度の補正〕
冬期から夏期にかけて、また夏期から冬期にかけての中間期には、昼間は冷房が行われ、夜間は暖房が行われるという場合も起こり得る。すなわち、昼間は、内気温度ｔｉｎが冷房設定温度ｔＣｓｐを上回って冷房が行われ、夜間は、内気温度ｔｉｎが暖房設定温度ｔＨｓｐを下回って暖房が行われるということがあり得る。この場合、昼間は内気温度ｔｉｎがほゞ冷房設定温度ｔＣｓｐに維持され、夜間は内気温度ｔｉｎがほゞ暖房設定温度ｔＨｓｐに維持される。
【００４４】
ここで、夏期に近い中間期において、内気温度ｔｉｎは全体的に高目に推移する。この場合、内気温度ｔｉｎが暖房設定温度ｔＨｓｐを下回る頻度は少なく、内気温度ｔｉｎが暖房設定温度ｔＨｓｐを下回ったからといって暖房を行わなくても、一日の平均温度は冷房設定温度ｔＣｓｐと暖房設定温度ｔＨｓｐとの間に入る場合が多い。また、冬期に近い中間において、内気温度ｔｉｎは全体的に低目に推移する。この場合、内気温度ｔｉｎが冷房設定温度ｔＣｓｐを上回る頻度は少なく、内気温度ｔｉｎが冷房設定温度ｔＣｓｐを上回ったからといって冷房を行わなくても、一日の平均温度は冷房設定温度ｔＣｓｐと暖房設定温度ｔＨｓｐとの間に入る場合が多い。
【００４５】
そこで、本実施の形態では、次のようにして中間期における暖房設定温度および冷房設定温度を補正することによって、好適な温度に維持するようにし、室温んを一定に保つようにすることにより、開花時の調整及び省エネルギーを図るようにしている。図５はＣＰＵ８−１が行う中間期における暖房設定温度および冷房設定温度の補正処理を示すフローチャートである。
【００４６】
冷房運転時（夏季）は室温が冷房によって維持される為、冷房設定温度を好適な目標室内温度としている。暖房設定温度は、同時運転を避けるため、２℃下の温度を設定している。
ＣＰＵ８−１は、中間期における冷房運転時、所定周期で取り込まれる外気温度センサ１５からの外気温度ｔｏｕｔに基づき、１５分平均外気温度ｔｏｕｔ15を求める(図５（ａ）に示すステップ５０１)。そして、このこの求めた１５分平均外気温度ｔｏｕｔ15と冷房設定温度ｔＣｓｐとを比較し（ステップ５０２）、ｔｏｕｔ15≦ｔＣｓｐであれば、暖房設定温度ｔＨｓｐを１℃上げ、冷房設定温度ｔＣｓｐを２℃上げる（ステップ５０３）。これにより、中間期における冷房運転時、外気温度が低い場合には、暖房設定温度ｔＨｓｐが上げられ、暖房運転時の設定温度に戻されることで、好適な温度条件が得られる。また、冷房設定温度ｔＣｓｐが上げられ、暖房余熱による冷房頻度がなくなり、省エネルギーが図られる。
【００４７】
暖房運転時（冬季）は室温が暖房によって維持される為、暖房設定温度を好適な目標室内温度としている。冷房設定温度は、同時運転を避けるため、２℃上の温度を設定している。
ＣＰＵ８−１は、中間期における暖房運転時、所定周期で取り込まれる外気温度センサ１５からの外気温度ｔｏｕｔに基づき、１５分平均外気温度ｔｏｕｔ15を求める(図５（ｂ）に示すステップ５０４)。そして、このこの求めた１５分平均外気温度ｔｏｕｔ15と暖房設定温度ｔＨｓｐとを比較し（ステップ５０５）、ｔｏｕｔ15≧ｔＨｓｐであれば、冷房設定温度ｔＣｓｐを１℃下げ、暖房設定温度ｔＨｓｐを２℃下げる（ステップ５０６）。これにより、中間期における暖房運転時、外気温度が高い場合には、冷房設定温度ｔＣｓｐが下げられ、冷房運転時の設定温度に戻されることで、好適な温度条件が得られる。また、暖房設定温度ｔＨｓｐが下げられ、冷房余熱による暖房頻度がなくなり、省エネルギーが図られる。
【００４８】
なお、図５においては、中間期における冷房運転時には１５分平均外気温度ｔｏｕｔ15と冷房設定温度ｔＣｓｐとを比較し、中間期における暖房運転時には１５分平均外気温度ｔｏｕｔ15と暖房設定温度ｔＨｓｐとを比較するようにしたが、冷房運転時と暖房運転時とを分けることなく、例えば冷房設定温度ｔＣｓｐと暖房設定温度ｔＨｓｐとの中間温度と比較するようにしてもよい。
【００４９】
〔天窓制御〕
ＣＰＵ８−１は、計時機能及び外気温と日射量の大小によって、現時点が冷房使用時期（４月〜９月）であるのか暖房使用時期（１０月〜３月）であるのかを判断する。現時点が冷房使用時期である場合、ＣＰＵ８−１は、カーテン外温度センサ７からのカーテン外温度ｔＲを制御入力温度とし、この制御入力温度と天窓設定温度ｔＲｓｐとの温度差に応じて天窓２の開き量を制御する。現時点が暖房使用時期である場合、ＣＰＵ８−１は、内気温度センサ１０からの内気温度ｔｉｎを制御入力温度とし、この制御入力温度と天窓設定温度ｔＲｓｐとの温度差に応じて天窓２の開き量を制御する。具体的には、天窓設定温度ｔＲｓｐと内気温度ｔｉｎとの差に予め定められている比例感度を乗じて天窓２の開き量とする。
【００５０】
〔冷房使用時期の天窓制御〕
夏期において、例えばカーテン２２を展張すると、屋根１Ａとカーテン２２との間に熱気がこもる。これにより、屋根１Ａとカーテン２２との間の空間温度が外気温度よりも高くなり、保冷効果が低下する。制御装置８は、このような状況に陥らないように、冷房使用時期にあっては、カーテン外温度ｔＲと天窓目標温度ｔＲｓｐとの差に応じて天窓２の開き量を制御する。
【００５１】
この場合、屋根１Ａとカーテン２２との間からの熱気の排出量は、屋根１Ａとカーテン２２との間の空気温度と外気温度との差、すなわち内外気温差によって異なる。内外気温差が小さいと、単位面積当たりの熱気の排出量は少なく、内外気温差が大きいと、単位面積当たりの熱気の排出量は多い。従来技術では、外気温度に拘わらず天窓２の開き量を制御する際の比例感度を一律としているため、殊に天窓２を開く際の開時比例感度を一律としているため、外気温度が高い場合の熱気の排出量が少なく、これも内気温度ｔｉｎが冷房設定温度ｔＣｓｐを維持できない要因の一つとなっていた。
【００５２】
〔天窓制御の際の外気温度補正〕
このような状況に陥らないために、本実施の形態では、天窓２を開く際の制御量を外気温度に応じて補正するようにしている。具体的には、下記（１）式に従い、目標温度と外気温度との差に応じて、天窓２を開く際の開時比例感度を求めるようにしている。
開時比例感度＝設定比例感度／〔１＋（天窓目標温度−１５分平均外気温度）×外気温窓係数〕      ・・・・（１）
【００５３】
上記（１）式に従えば、夏期において、１５分平均外気温度ｔｏｕｔ15が高くなった場合には、天窓目標温度ｔＲｓｐと１５分平均外気温度ｔｏｕｔ15との差が小さくなり、すなわち設定比例感度に対する分母が小さくなり、開時比例感度が大きくなる。これにより、夏期において、外気温度が高くなると（天窓目標温度ｔＲｓｐと１５分平均外気温度ｔｏｕｔ15との差が小さくなると）、天窓２の開き量が大きくなり、外部への熱気の排出量が増大する。天窓２を閉める際にも同様に補正する。
【００５４】
この天窓制御において、ＣＰＵ８−１は、感雨センサ１９からの信号に基づき降雨を検出した場合には、天窓２を締め切る。なお、天窓２を全閉とした後、予め定められている降雨時窓開度まで開くようにするようにしてもよい。また、ＣＰＵ８−１は、風速センサ１７からの風速に基づき、この風速が予め定められている窓締め切り風速を超えた場合にも天窓２を締め切る。この場合、ＣＰＵ８−１は、雨あるいは風が止んでも、１０分間はインターロックタイマで強制的に天窓２の強制締め切り動作を継続する。また、ＣＰＵ８−１は、天窓２の締め切り動作中、換気扇９によって温室１内の換気を行う。この際、天窓２の開き量の制御と同様に、カーテン外温度ｔＲと制御入力温度との差に応じて換気扇９の回転数を制御する。
【００５５】
〔天窓制御の際の日射量補正〕
屋根１Ａとカーテン２２との間からの熱気の排出量は日射量によっても変動する。上述した実施の形態では、天窓２を開く際の制御量を外気温度に応じて補正するようにしたが、日射量に応じて補正するようにしてもよい。例えば、天窓２を開く際の開時比例感度を日射量センサ１６からの日射量Ｓに基づき、日射量Ｓが多くなるにつれて大きくするように補正するようにしてもよい。
【００５６】
〔カーテン制御〕
温室１内の屋根１Ａの下には第１のカーテン２０と第２のカーテン２１と第３のカーテン２２が設けられており、屋根１Ａの上には第４のカーテン２３が設けられている。ＣＰＵ８−１は、内気温度ｔｉｎや日射量Ｓに基づいて、これらのカーテンの展張／撤収を制御する。
【００５７】
なお、このカーテン制御を行うために、制御装置８にはパソコン１３より、設定カーテン１撤収日射量Ｓ１ｏｐｓ、カーテン１強制撤収温度差Δｔ１ｏｐ、設定カーテン展張日射量Ｓ１ｃｌｓ、カーテン１展張日射ヒスＳ１ｃｌｈ、カーテン２撤収日射量Ｓ２ｏｐ、カーテン２強制撤収温度差Δｔ２ｏｐ、設定カーテン３遮光日射量Ｓ３cuts、カーテン３遮光日射ヒスＳ３cuth、設定カーテン４遮光日射量Ｓ４cuts、カーテン４遮光日射ヒスＳ４cuthが設定されているものとする。
【００５８】
〔第１のカーテン（保温，保冷用（透明）〕
ＣＰＵ８−１による第１のカーテン２０の制御は暖房使用時期と冷房使用時期とでその動作が異なる。以下、暖房使用時期と冷房使用時期とに分けて、ＣＰＵ８−１による第１のカーテン２０の展張／撤収動作について説明する。
【００５９】
〔暖房使用時期（１０月〜３月）〕
ＣＰＵ８−１は、暖房設定温度ｔＨｓｐより、カーテン１撤収温度ｔｏｐ１と、カーテン１展張温度ｔｃｌ１と、カーテン撤収温度ヒスｔop1hと、カーテン展張温度ヒスｔcl1hを求める。本実施の形態では、ｔｏｐ１＝ｔＨｓｐ＋４℃、ｔｃｌ１＝ｔＨｓｐ−１．５℃、ｔop1h＝ｔＨｓｐ＋０．５℃、ｔcl1h＝ｔＨｓｐ−０．５℃として求める（図６参照）。
【００６０】
〔展張〕
ＣＰＵ８−１は、下記▲１▼，▲２▼の優先順位で、カーテン２０を展張する。
▲１▼内気温度ｔｉｎがカーテン１展張温度ｔｃｌ１よりも低い時（ｔｉｎ＜ｔｃｌ１：図６参照）。
▲２▼１５分平均日射量Ｓ15がカーテン１撤収日射量Ｓ１ｏｐよりも少ない時（Ｓ１５＜Ｓ１ｏｐ：図７（ａ）参照）。
【００６１】
但し、このカーテン２０の展張制御において、Ｓ15＜Ｓ１ｏｐであっても、ｔｉｎ≧ｔop1hである場合にはカーテン２０の展張を禁止する。また、外気温度が高い時、具体的には、（ｔＨｓｐ−ｔｏｕｔ15）≦Δｔ１ｏｐのとき（図７（ｂ））は、いかなる場合でもカーテン２０の展張を禁止する。
【００６２】
〔撤収〕
ＣＰＵ８−１は、下記▲１▼，▲２▼，▲３▼の優先順位で、カーテン２０を撤収する。
▲１▼内気温度ｔｉｎがカーテン１撤収温度ｔｏｐ１よりも高い時（ｔｉｎ≧ｔｏｐ１：図６参照）。
▲２▼外気温度が高い時、具体的には、（ｔＨｓｐ−ｔｏｕｔ15）≦Δｔ１ｏｐの時（図７（ｂ）参照）。
▲３▼１５分平均日射量Ｓ15がカーテン１撤収日射量Ｓ１ｏｐよりも多い時（Ｓ15≧Ｓ１ｏｐ：図７（ｃ）参照）。
【００６３】
但し、この第１のカーテン２０の展張制御において、（ｔＨｓｐ−ｔｏｕｔ15≦Δｔ１ｏｐであっても、ｔｉｎ＜ｔop1hである時には撤収を禁止する。また、Ｓ15≧Ｓ１ｏｐであっても、ｔｉｎ＜ｔcl1hである時には撤収を禁止する。
【００６４】
〔カーテン１撤収日射量の外気温度補正〕
ＣＰＵ８−１はカーテン１撤収日射量Ｓ１ｏｐを外気温度に応じて補正する。具体的には、下記（２）式に従い、外気温度の低下に応じてカーテン１撤収日射量Ｓ１ｏｐを大きくする。
Ｓ１ｏｐ＝Ｓ１ｏｐｓ（設定カーテン１撤収日射量）＋Ｓ１α（遮光日射補正値）・・・・（２）
【００６５】
なお、上記（２）式における遮光日射補正値Ｓ１αは、下記（３）式に従って求める。
Ｓ１α＝（ｔＨｓｐ−ｔｏｕｔ15）×ＫＨ１・・・・（３）
この（３）式において、ＫＨ１は外気温カーテン係数を示し、内外気温差１℃当たりの撤収（展張）日射量の増加（減少）量で、０〜０．０３の値として設定可能である。
【００６６】
〔冷房使用時期（４月〜９月）〕
ＣＰＵ８−１は、例えば８時〜１７時をカーテン１展張時間帯とし、現時刻がカーテン１展張時間帯内にあるときは無条件にカーテン２０を展張する。それ以外の時間帯では、１５分平均日射量Ｓ15がカーテン１展張日射量Ｓ１ｃｌよりも多いとき（Ｓ15＞Ｓ１ｃｌ：図７（ｄ）参照）に展張し、Ｓ15＜（Ｓ１ｃｌ−Ｓ１ｃｌｈ（カーテン１展張日射ヒス））のとき（図７（ｅ）参照）にカーテン２０を撤収する。なお、非常時として、ｔｉｎ＞ｔｏｐ１（カーテン１撤収温度）のときは、無条件にカーテン２０を撤収する。
【００６７】
〔カーテン１展張日射量の外気温度補正〕
ＣＰＵ８−１はカーテン１展張日射量Ｓ１ｃｌを外気温度に応じて補正する。具体的には、下記（４）式に従い、目標温度と外気温度との差に応じてカーテン１展張日射量Ｓ１ｃｌを求める。これにより、カーテン１展張日射量Ｓ１ｃｌは、外気温度の低下に応じて小さくなる。
Ｓ１ｃｌ＝Ｓ１ｃｌｓ（設定カーテン１展張日射）＋Ｓ１β（遮光日射補正値）・・・・（４）
【００６８】
なお、上記（４）式における遮光日射補正値Ｓ１βは、下記（５）式に従って求める。
Ｓ１β＝（ｔＣｓｐ−ｔｏｕｔ15）×ＫＣ１・・・・（５）
この（５）式において、ＫＣ１は外気温カーテン係数を示し、内外気温差１℃当たりの撤収（展張）日射量の増加（減少）量で、０〜０．０３の値として設定可能である。
【００６９】
〔第２のカーテン（保温，保冷用（シルバー）〕
ＣＰＵ８−１は、例えば４時〜８時をカーテン２撤収時間帯とし、１６時〜２０時をカーテン２展張時間帯とする。
【００７０】
カーテン２撤収時間帯において、ＣＰＵ８−１は、１５分平均日射量Ｓ15がカーテン２撤収日射量Ｓ２ｏｐを上回ったとき（Ｓ15＞Ｓ２ｏｐ：図８（ａ）参照）にカーテン２１を撤収する。
カーテン２展張時間帯において、ＣＰＵ８−１は、１５分平均日射量Ｓ15がカーテン２撤収日射量Ｓ２ｏｐを下回ったとき（Ｓ15＜Ｓ２ｏｐ：図８（ｂ）参照）にカーテン２１を展張する。
【００７１】
また、ＣＰＵ８−１は、カーテン２撤収時間帯において、暖房使用時期に｜ｔＨｓｐ−ｔｏｕｔ15｜＜Δｔ２ｏｐとなったとき（図８（ｃ）参照）、カーテン２１を撤収する。
【００７２】
〔第３のカーテン（遮光（黒）〕
ＣＰＵ８−１は、１５分平均日射量Ｓ１５がカーテン３遮光日射量Ｓ３cut（約０．２〜０．５cal/cm2 min）を超えたとき（Ｓ15＞Ｓ３cut ：図９（ａ）参照）にカーテン２２を展張し、Ｓ15＜（Ｓ３cut −Ｓ３cuth ）のとき（図９（ｂ）参照）にカーテン２２を撤収する。
【００７３】
〔カーテン３遮光日射量の外気温度補正〕
ＣＰＵ８−１はカーテン３遮光日射量Ｓ３cut を外気温度に応じて補正する。具体的には、暖房使用時期には下記（６）式に従い、冷房使用時期には下記（８）式に従い、目標温度と外気温度との差に応じてカーテン３遮光日射量Ｓ３cut を求める。これにより、カーテン３遮光日射量Ｓ３cut は、外気温度の低下に応じて大きくなる。
【００７４】
〔暖房使用時期〕
Ｓ３cut＝Ｓ３cuts（設定カーテン３遮光日射量）＋Ｓ３α（遮光日射補正値）・・・・（６）
【００７５】
なお、上記（６）式における遮光日射補正値Ｓ３αは、下記（７）式に従って求める。
Ｓ３α＝（ｔＨｓｐ−ｔｏｕｔ15）×ＫＨ３・・・・（７）
この（７）式において、ＫＨ３は外気温カーテン係数を示し、内外気温差１℃当たりの撤収（展張）日射量の増加（減少）量で、０〜０．０３の値として設定可能である。
【００７６】
〔冷房使用時期〕
Ｓ３cut＝Ｓ３cuts（設定カーテン３遮光日射量）＋Ｓ３β（遮光日射補正値）・・・・（８）
なお、上記（８）式における遮光日射補正値Ｓ３βは、下記（９）式に従って求める。
Ｓ３β＝（ｔＣｓｐ−ｔｏｕｔ15）×ＫＣ３・・・・（９）
【００７７】
この（９）式において、ＫＣ３は外気温カーテン係数を示し、内外気温差１℃当たりの撤収（展張）日射量の増加（減少）量で、０〜０．０３の値として設定可能である。
【００７８】
〔第４のカーテン（遮光（黒）〕
ＣＰＵ８−１は、１５分平均日射量Ｓ15がカーテン４遮光日射量Ｓ４cut（約１cal/cm2 min）を超えたとき（Ｓ15＞Ｓ４cut：図１０（ａ）参照）にカーテン２３を展張し、Ｓ15＜（Ｓ４cut −Ｓ４cuth ）のとき（図１０（ｂ）参照）に撤収する。
【００７９】
〔カーテン４遮光日射量の外気温度補正〕
ＣＰＵ８−１はカーテン４遮光日射量Ｓ４cutを外気温度に応じて補正する。具体的には、暖房使用時期には下記（１０）式に従い、冷房使用時期には下記（１２）式に従い、目標温度と外気温度との差に応じてカーテン４遮光日射量Ｓ４cut を求める。これにより、カーテン４遮光日射量Ｓ４cut は、外気温度の低下に応じて大きくなる。
【００８０】
〔暖房使用時期〕
Ｓ４cut＝Ｓ４cuts（設定カーテン４遮光日射量）＋Ｓ４α（遮光日射補正値）・・・・（１０）
なお、上記（１０）式における遮光日射補正値Ｓ４αは、下記（１１）式に従って求める。
Ｓ３α＝（ｔＨｓｐ−ｔｏｕｔ15）×ＫＨ４・・・・（１１）
【００８１】
この（１１）式において、ＫＨ４は外気温カーテン係数を示し、内外気温差１℃当たりの撤収（展張）日射量の増加（減少）量で、０〜０．０３の値として設定可能である。
【００８２】
本実施の形態において、外気温カーテン係数ＫＨ４は、前記（３）式で用いた外気温カーテン係数ＫＨ３と等しくしてもよく、この場合、（３）式で得られる遮光日射補正値Ｓ３αをＳ４αとして用いる。
【００８３】
〔冷房使用時期〕
Ｓ４cut＝Ｓ４cuts（設定カーテン４遮光日射量）＋Ｓ４β（遮光日射補正値）・・・・（１１）
なお、上記（１１）式における遮光日射補正値Ｓ４βは、下記（１２）式に従って求める。
Ｓ４β＝（ｔＣｓｐ−ｔｏｕｔ15）×ＫＣ４・・・・（１２）
【００８４】
この（１２）式において、ＫＣ４は外気温カーテン係数を示し、内外気温差１℃当たりの撤収（展張）日射量の増加（減少）量で、０〜０．０３の値として設定可能である。
【００８５】
本実施の形態において、外気温カーテン係数ＫＣ４は、前記（５）式で用いた外気温カーテン係数ＫＣ３と等しくしてもよく、この場合、（５）式で得られる遮光日射補正値Ｓ３βをＳ４βとして用いる。
【００８６】
なお、本実施の形態において、暖房設定温度ｔＨｓｐや冷房設定温度ｔＣｓｐは、１日を例えば４つの時間帯に分け、各時間帯毎に設定するようにしてもよい。
また、本実施の形態においては、外部環境の一例として外気温度や日射量によって暖房設定温度ｔＨｓｐや冷房設定温度ｔＣｓｐ、天窓２を開く際の制御量を補正するようにしたが、外部環境は外気温度や日射量に限られるものではない。
【００８７】
【発明の効果】
以上説明したことから明らかなように本発明によれば、外部温度や日射量などの外部環境に応じて暖房設定温度が補正され、この補正された暖房設定温度に従って温室内の暖房制御が行われるものとなり、また、外部温度や日射量などの外部環境に応じて冷房設定温度が補正され、この補正された冷房設定温度に従って温室内の冷房制御が行われるものとなり、外気温度や日射量などの外部環境による温室内の内気温度の変動を抑え、胡蝶蘭などの植物の開花時期を調整することができ、植物に合った好適な条件を作ることができるようになる。
また、本発明によれば、天窓を開く際の制御量が外部温度や日射量などの外部環境によって補正され、夏期において、外気温度が高くなったり、日射量が多くなった場合には、天窓の開き量を大きくして、熱気の排出量を増大させ、内気温度の変動を抑え、胡蝶蘭などの植物の開花時期を調整することができ、植物に合った好適な条件を作ることができるようになる。
また、外気象の変化による冷房、暖房の負荷の変化に対応して保温カーテンの開閉設定値が補正されるため、植物の好適な室内環境と省エネルギーが図られる。
また、外気象の変化により、遮光カーテンの開閉設定値が補正されるため、夏は早めの遮光により植物の葉焼の危険を減らし、冬季は短い日照時間の中でできるだけ光を取り入れ、植物の生育に好適な採光と省エネルギーが図られる。
【図面の簡単な説明】
【図１】本発明に係る温室内の環境制御方法の実施に用いる環境制御装置の一例を示す概略構成図である。
【図２】この環境制御装置における制御装置の概略構成を示すブロック図である。
【図３】この制御装置のＣＰＵが定期的に行う暖房設定温度の外気温度補正処理を示すフローチャートである。
【図４】この制御装置のＣＰＵが定期的に行う冷房設定温度の外気温度補正処理を示すフローチャートである。
【図５】この制御装置のＣＰＵが行う中間期における暖房設定温度および冷房設定温度の補正動作を示すフローチャートである。
【図６】暖房設定温度より求められるカーテン１撤収温度、カーテン１展張温度、カーテン撤収温度ヒス、カーテン展張温度ヒスの関係を示す図である。
【図７】この制御装置のＣＰＵが行うカーテン制御（第１のカーテンの制御）を説明するための図である。
【図８】この制御装置のＣＰＵが行うカーテン制御（第２のカーテンの制御）を説明するための図
【図９】この制御装置のＣＰＵが行うカーテン制御（第３のカーテンの制御）を説明するための図
【図１０】この制御装置のＣＰＵが行うカーテン制御（第４のカーテンの制御）を説明するための図
【図１１】胡蝶蘭の栽培に用いられている従来の温室の一例を示す概略構成図である。
【符号の説明】
１…温室、１Ａ…屋根、２…天窓、３…ルーフ、７…カーテン外センサ、８…制御装置、８−１…ＣＰＵ、８−２…ＲＡＭ、８−３…ＲＯＭ、８−４，８−５…インターフェイス、９…換気扇、１０…内気温度センサ、１１…内気湿度センサ、１２…冷房／暖房装置、１３…パソコン、１４…外気温度センサ、１５…湿度センサ、１６…日射センサ、１７…風向センサ、１８…風速センサ、１９…感雨センサ、２０…第１のカーテン、２２…第２のカーテン、２３…第３のカーテン、２４…第４のカーテン、４，２２〜２７…モータ。
【図１】
2004201630.tif 000003
【図２】
2004201630.tif 000004
【図３】
2004201630.tif 000005
【図４】
2004201630.tif 000006
【図５】
2004201630.tif 000007
【図６】
2004201630.tif 000008
【図７】
2004201630.tif 000009
【図８】
2004201630.tif 000010
【図９】
2004201630.tif 000011
【図１０】
2004201630.tif 000012
【図１１】
2004201630.tif 000013